(57)【要約】      （修正有）【課題】１つの蒸発器で冷却を行う冷蔵庫において、冷蔵空間及び冷凍空間を効率的に冷却することができる冷蔵庫を提供する。【解決手段】蒸発器５６で冷却された空気を冷蔵ダクト３５を介して冷蔵空間２０へ送風する冷蔵ファン３４と、蒸発器５６で冷却された空気を冷凍ダクト３７を介して冷凍空間４０へ送風する冷凍ファン３６とを備え、冷蔵ファン３４が停止時に蒸発器室３０から冷蔵空間２０への空気の流れを制限し、冷凍ファン３６が停止時に蒸発器室３０から冷凍空間４０への空気の流れを制限する。【選択図】図１
2014202446.tif 000002
【特許請求の範囲】
【請求項１】
冷蔵空間と、冷凍空間と、蒸発器室と、前記蒸発器室に収納され前記蒸発器室内の空気を冷却する蒸発器と、前記蒸発器室と前記冷蔵空間とを連結する冷蔵ダクトと、前記蒸発器室と前記冷凍空間とを連結する冷凍ダクトと、前記蒸発器で冷却された空気を前記冷蔵ダクトを介して前記冷蔵空間へ送風する冷蔵ファンと、前記蒸発器で冷却された空気を前記冷凍ダクトを介して前記冷凍空間へ送風する冷蔵ファンとを備え、
前記冷蔵ファンは、停止時に前記蒸発器室から前記冷蔵空間への空気の流れを制限し、
前記冷凍ファンは、停止時に前記蒸発器室から前記冷凍空間への空気の流れを制限することを特徴とする冷蔵庫。
【請求項２】
前記冷凍ファンを停止させつつ前記冷蔵ファンを回転させて前記蒸発器で冷却された空気を前記冷蔵空間に送風する冷蔵冷却モードと、前記冷蔵ファンを停止させつつ前記冷凍ファンを回転させて前記蒸発器で冷却された空気を前記冷凍空間に送風する冷凍冷却モードとを切り替えて実行することを特徴とする請求項１に記載の冷蔵庫。
【請求項３】
前記冷蔵ファンを回転させつつ前記冷凍ファンを回転させて前記蒸発器で冷却された空気を前記冷蔵空間及び前記冷凍空間に送風する同時冷却モードを実行することを特徴とする請求項１又は２に記載の冷蔵庫。
【請求項４】
前記冷蔵ファンを停止させつつ前記冷凍ファンを回転させて前記蒸発器で冷却された空気を前記冷凍空間に送風する冷凍冷却モードの実行中に、前記冷蔵空間の温度が所定温度より高いと、前記冷蔵ファンを回転させつつ前記冷凍ファンを回転させて前記蒸発器で冷却された空気を前記冷蔵空間及び前記冷凍空間に送風する同時冷却モードを実行し、前記冷蔵空間の温度が所定温度以下になると、前記冷蔵ファンを停止して前記冷凍冷却モードを実行することを特徴とする請求項３に記載の冷蔵庫。
【請求項５】
前記冷蔵ファンを停止させつつ前記冷凍ファンを回転させて前記蒸発器で冷却された空気を前記冷凍空間に送風する冷凍冷却モードの実行中に、前記冷蔵空間の温度が所定温度より高いと、前記冷蔵ファンを回転させつつ前記冷凍ファンを回転させて前記蒸発器で冷却された空気を前記冷蔵空間及び前記冷凍空間に送風する同時冷却モードを実行し、前記冷蔵空間の温度が所定温度以下になると、前記冷蔵ファンの回転数を低下させることを特徴とする請求項３に記載の冷蔵庫。
【請求項６】
前記冷蔵空間の温度が高くなるにつれて前記冷蔵ファンの回転数が高くなり、前記冷凍空間の温度が高くなるにつれて前記冷凍ファンの回転数が高くなることを特徴とする請求項１〜５のいずれか１項に記載の冷蔵庫。
【請求項７】
前記冷凍ダクトを開閉する冷凍ダンパを備え、
前記冷凍ファンを停止させつつ前記冷蔵ファンを回転させて前記蒸発器で冷却された空気を前記冷蔵空間に送風する冷蔵冷却モードの実行中に前記冷凍ダンパを閉止することを特徴とする請求項１〜６のいずれか１項に記載の冷蔵庫。
【請求項８】
前記蒸発器より空気の流れ方向上流側に前記冷蔵ファン及び前記冷凍ファンが設けられていることを特徴とする請求項１〜７のいずれか１項に記載の冷蔵庫。
【請求項９】
前記蒸発器室は、前記冷蔵ダクト及び前記冷凍ダクトが接続された分岐室を前記蒸発器より空気の流れ方向上流側に備え、
前記冷蔵ダクト内に前記冷蔵ファンが設けられ、前記冷凍ダクト内に前記冷凍ファンが設けられていることを特徴とする請求項８に記載の冷蔵庫。
【請求項１０】
前記分岐室は、前記蒸発器の上方に設けられ、前記分岐室の上面に前記冷蔵ダクトが接続され、
前記冷蔵ファンは、下方に見たときに前記蒸発器の投影面に重なるように前記分岐室を挟んで前記蒸発器の上方に配置されていることを特徴とする請求項９に記載の冷蔵庫。
【請求項１１】
前記分岐室の前面に前記冷凍ダクトが接続され、
前記冷凍ファンは、前記分岐室の前面に沿わせて配置されていることを特徴とする請求項１０に記載の冷蔵庫。
【請求項１２】
前記分岐室の前面に前記冷凍ダクトが接続され、前記分岐室と前記冷凍ダクトとの接続部の上端から後方に延びるガイド板が、前記分岐室内に設けられていることを特徴とする請求項１０又は１１に記載の冷蔵庫。
【請求項１３】
前記冷蔵ダクト内に設けられ前記冷蔵ダクトを流れる空気を冷却する第２蒸発器を備えることを特徴とする請求項１〜１２のいずれか１項に記載の冷蔵庫。
【発明の詳細な説明】
【技術分野】
【０００１】
本発明の実施形態は、冷蔵庫に関する。
【背景技術】
【０００２】
従来より、１つの蒸発器で冷却を行う冷蔵庫において、蒸発器で冷却された空気を冷蔵空間へ供給する冷蔵ダクトと冷凍空間へ供給する冷凍ダクトとにそれぞれ冷蔵ダンパと冷凍ダンパを設けるとともに、冷蔵空間及び冷凍空間に蒸発器で冷却された空気を送風する送風ファンを設け、冷蔵ダンパ及び冷凍ダンパの開閉や送風ファンの回転を制御することで、冷蔵空間を冷却したり、冷凍空間を冷却したりする冷蔵庫が知られている（例えば、下記特許文献１参照）。
【先行技術文献】
【特許文献】
【０００３】
【特許文献１】特開平９−１１３０９２号公報
【発明の概要】
【発明が解決しようとする課題】
【０００４】
しかしながら、上記の冷蔵庫では、蒸発器で冷却された空気を１つの送風ファンで冷蔵空間と冷凍空間へ送風するため、冷蔵ダクトや冷凍ダクトの経路が複雑となりダクト内の圧力損失が大きくなりやすく、効率的な冷却が困難であるという問題がある。
【０００５】
そこで、１つの蒸発器で冷蔵空間及び冷凍空間を冷却する冷蔵庫において、冷蔵ダクトや冷凍ダクトの経路を単純化することができ、冷蔵空間及び冷凍空間を効率的に冷却することができる冷蔵庫を提供する。
【課題を解決するための手段】
【０００６】
実施形態に係る冷蔵庫は、冷蔵空間と、冷凍空間と、蒸発器室と、前記蒸発器室に収納され前記蒸発器室内の空気を冷却する蒸発器と、前記蒸発器室と前記冷蔵空間とを連結する冷蔵ダクトと、前記蒸発器室と前記冷凍空間とを連結する冷凍ダクトと、前記蒸発器で冷却された空気を前記冷蔵ダクトを介して前記冷蔵空間へ送風する冷蔵ファンと、前記蒸発器で冷却された空気を前記冷凍ダクトを介して前記冷凍空間へ送風する冷蔵ファンとを備え、前記冷蔵ファンは、停止時に前記蒸発器室から前記冷蔵空間への空気の流れを制限し、前記冷凍ファンは、停止時に前記蒸発器室から前記冷凍空間への空気の流れを制限することを特徴とする。
【図面の簡単な説明】
【０００７】
【図１】第１実施形態に係る冷蔵庫の断面図である。
【図２】図１の冷蔵庫の要部拡大図である。
【図３】図１の冷蔵庫のダクトの配置を示す図である。
【図４】図１の冷蔵庫の冷凍サイクルを示す図である。
【図５】図１の冷蔵庫の制御構成を示すブロック図である。
【図６】図１に示す冷蔵庫の制御を示すタイムチャートである。
【図７】第２実施形態に係る冷蔵庫の断面図である。
【図８】第３実施形態に係る冷蔵庫の断面図である。
【図９】図８の冷蔵庫の冷凍サイクルを示す図である。
【発明を実施するための形態】
【０００８】
（第１実施形態）
以下、図面に基づき第１実施形態に係る冷蔵庫について説明する。
【０００９】
本実施形態に係る冷蔵庫１０は、図１〜図３に示すように、外郭を形成する外箱と貯蔵空間を形成する内箱との間に発泡断熱材を充填した断熱箱体からなる冷蔵庫本体１１を備え、貯蔵空間を断熱仕切壁１２によって上方の冷蔵空間２０と下方の冷凍空間４０とに区画している。
【００１０】
冷蔵空間２０は、冷蔵温度（例えば、２〜３℃）に冷却される空間であって、内部が更に仕切板２１によって上下に区画され、上部空間に複数段の載置棚を設けた冷蔵室２２が設けられ、下部空間に引き出し式の収納容器２３を配置する野菜室２４が設けられている。
【００１１】
野菜室２４の下方に配置した冷凍空間４０は、冷凍温度（例えば、−１８℃以下）に冷却される空間であって、比較的小容積の自動製氷機を備えた製氷室４１と小型冷凍室４２とが左右に併設され、その下方に冷凍室４３が設けられている。
【００１２】
冷蔵室２２の開口部は、冷蔵庫本体１１の一側部の上下に設けられたヒンジにより回動自在に枢支された冷蔵室扉２５により閉塞されている。
【００１３】
野菜室２４、製氷室４１、小型冷凍室４２及び冷凍室４３の開口部は、引き出し式扉２６，４６，４７により閉塞されている。各引き出し式扉２６，４６，４７の裏面側に固着した左右一対の支持枠には、収納容器２３，４４，４５が保持されており、開扉動作とともに庫外に引き出されるように構成されている。
【００１４】
冷凍空間４０の背部には、図４に示す冷凍サイクル５０の一部を構成する蒸発器５６を収納する蒸発器室３０が配設されている。
【００１５】
冷凍サイクル５０は、回転数を変えることができる能力可変型の圧縮機５１と、該圧縮機５１から吐出される高温高圧の冷媒ガスを受けてこれを放熱液化する凝縮器５２と、凝縮器５２の出口側に接続され凝縮器５２からの冷媒を減圧する絞り装置５３と、絞り装置５３からの冷媒が供給される蒸発器５６とを配管接続して構成される。圧縮機５１から吐出された冷媒は、凝縮器５２、絞り装置５３を介して蒸発器５６に供給され、これにより、蒸発器５６が低温化する。
【００１６】
絞り装置５３は、凝縮器５２の出口側に接続された切替弁５５と、内径の異なる複数のキャピラリーチューブ、この例では、第１キャピラリーチューブ５４ａ及び第１キャピラリーチューブ５４ａより内径が大きい第２キャピラリーチューブ５４ｂを備え、切替弁５５が複数のキャピラリーチューブから１のキャピラリーチューブを選択して凝縮器５２から供給された冷媒を流す。つまり、絞り装置５３は、第１キャピラリーチューブ５４ａに比べて第２キャピラリーチューブ５４ｂの冷媒抵抗が小さく設定されており、切替弁５５が複数のキャピラリーチューブの一方へ凝縮器５２からの冷媒を切り替えて流すことで、冷媒の流路抵抗を変更することができる。
【００１７】
蒸発器５６は、例えば、キャピラリーチューブ５４からの冷媒が流通する冷媒パイプに短冊状の多数のフィンを所定間隔で嵌着してなるフィンチューブ型の蒸発器である。蒸発器５６は、冷媒パイプの出口側が圧縮機５１の吸込側と接続され、蒸発器５６を流れた冷媒は再び圧縮機５１に取り込まれ冷凍サイクル５０を循環する。
【００１８】
蒸発器室３０は、図１〜図３に示すように、冷蔵庫本体１１の背面とエバカバー３１との間に形成された空間であり、蒸発器５６を収納する収納室３２と、収納室３２の蒸発器５６より空気の流れ方向上流側（この例では上方）に配置された分岐室３３とを備える。分岐室３３には、冷蔵ファン３４を設けた冷蔵ダクト３５と冷凍ファン３６を設けた冷凍ダクト３７とが接続されている。
【００１９】
詳細には、冷蔵ダクト３５は、冷蔵空間２０の背面に設けられたダクト板２７と冷蔵庫本体１１の背面との間に形成された流路である。この冷蔵ダクト３５は、一端部が分岐室３３の上面に接続され、他端部に吹出口２９が冷蔵空間２０へ開口し、蒸発器室３０と冷蔵空間２０とを連結する。
【００２０】
冷蔵ファン３４は、例えば、冷蔵ダクト３５における分岐室３３との接続部（言い換えれば、冷蔵ダクト３５の吸い込み部）３５ａに吹き出し方向を上方に向けて配置され、好ましくは、図２に示すように、冷蔵ファン３４を下方に見たときに収納室３２内の蒸発器５６の投影面に重なるように配置されている。
【００２１】
冷蔵ダクト３５内に配設された冷蔵ファン３４は、分岐室３３を挟んで上下方向に蒸発器５６と対向し、分岐室３３との接続部３５ａにおいて冷蔵ダクト３５の流路を遮るように設けられている。
【００２２】
このような冷蔵ファン３４は、回転時に、蒸発器５６で冷却された収納室３２の空気を分岐室３３から吸い込んで上方の冷蔵ダクト３５に導入し冷蔵ダクト３５を介して吹出口２９から冷蔵空間２０へ供給する。また、冷蔵ファン３４は、停止時に、分岐室３３と冷蔵ダクト３５とを遮断して、分岐室３３内の空気が冷蔵ダクト３５へ進入するのを制限する。
【００２３】
冷凍ダクト３７は、蒸発器室３０の前方に設けられたダクト板３８とエバカバー３１との間に形成された流路である。この冷凍ダクト３７は、一端部が分岐室３３の前面に接続され、他端部に吹出口４９が冷凍空間４０へ開口し、蒸発器室３０と冷凍空間４０とを連結する。
【００２４】
冷凍ファン３６は、例えば、冷凍ダクト３７における分岐室３３との接続部（言い換えれば、冷凍ダクト３７の吸い込み部）３７ａに吹き出し方向を前方に向けて配置され、好ましくは、図２に示すように、分岐室３３の前面に沿わせて配置され、分岐室３３との接続部３７ａにおいて冷凍ダクト３７の流路を遮るように設けられている。
【００２５】
このような冷凍ファン３６は、回転時に、蒸発器５６で冷却された収納室３２の空気を分岐室３３から吸い込んで前方の冷凍ダクト３７に導入し冷凍ダクト３７を介して冷凍空間４０へ供給する。また、冷凍ファン３６は、停止時に、分岐室３３と冷凍ダクト３７とを遮断して、分岐室３３内の空気が冷凍ダクト３７へ進入するのを制限する。
【００２６】
また、分岐室３３には、冷凍ダクト３７との接続部３７ａの上端から後方に延びるガイド板３９が設けられている。ガイド板３９は、接続部３７ａの上端から後方に行くほど下方に傾斜し分岐室３３の内部で終端しており、冷凍ファン３６の回転によって上方へ吹き上げられた収納室３２の空気が衝突して前方に指向され冷凍ダクト３７へ導入される。
【００２７】
冷蔵室２２の背面には、冷蔵空間２０の庫内温度ＴＲを測定するための冷蔵温度センサ２８が設けられ、冷凍室４３の背面には、冷凍空間４０の庫内温度ＴＦを測定するための冷凍温度センサ４８が設けられている。
【００２８】
冷蔵庫本体１１の背面下部には、冷凍サイクル５０の一部を構成する圧縮機５１及び凝縮器５２を収納する機械室６０が配設されており、機械室６０の背面上部に制御部６１が設けられている。
【００２９】
制御部６１は、図５に示すように、冷蔵温度センサ２８、冷凍温度センサ４８などの各種センサから入力される信号や、ＥＥＰＲＯＭ等の不揮発性記録媒体からなるメモリ６４に記憶された制御プログラムに基づいて、冷蔵ファン３４、冷凍ファン３６、絞り装置５３の切替弁５５、及び圧縮機５１の動作を制御する。
【００３０】
このような構成の冷蔵庫１０では、制御部６１が、冷蔵温度センサ２８及び冷凍温度センサ４８によって検出された庫内温度ＴＲ、ＴＦに基づいて、圧縮機５１、冷蔵ファン３４、及び冷凍ファン３６の駆動と、冷蔵ファン３４及び冷凍ファン３６を制御することで、冷蔵冷却モードと冷凍冷却モードとを切り替えて交互に実行する。
【００３１】
詳細には、図６に示すように、冷蔵冷却モードでは、冷凍サイクル５０に設けられた圧縮機５１を駆動することで蒸発器５６を低温化しつつ、冷蔵ファン３４を回転させ、冷凍ファン３６を停止させる。また、冷蔵冷却モードでは、凝縮器５２からの冷媒が内径の小さい（冷媒抵抗の大きい）第１キャピラリーチューブ５４ａに流れるように絞り装置５３の切替弁５５を制御部６１が切り替え制御する。
【００３２】
このように圧縮機５１、冷蔵ファン３４、冷凍ファン３６、及び切替弁５５を制御部６１が制御することで、蒸発器５６で冷却された蒸発器室３０内の空気が、冷蔵ファン３４によって吸い上げられ冷蔵ダクト３５へ導入され、冷蔵ダクト３５を介して冷蔵空間２０へ供給される。冷蔵冷却モードでは、停止している冷凍ファン３６が分岐室３３と冷凍ダクト３７とを遮断し、蒸発器５６で冷却された空気が冷凍ダクト３７へ進入するのを制限する。
【００３３】
冷蔵空間２０に供給された空気（冷気）は、冷蔵空間２０を冷却しながら内部を流れた後、野菜室２４の背面に設けられた吸込口１５からリターンダクト１３を介して蒸発器室３０に取り込まれ、再び蒸発器５６と熱交換し冷却される。
【００３４】
そして、制御部６１は、冷蔵空間２０に設けられた冷蔵温度センサ２８で検出された冷蔵空間２０の庫内温度ＴＲが、所定値の設定温度ＴＲｏｆｆ（例えば、ＴＲｏｆｆ＝０℃）以下に到達するように、圧縮機５１や冷蔵ファン３４等を制御して冷蔵冷却モードを実行する。
【００３５】
その際、制御部６１は、冷蔵温度センサ２８で検出された冷蔵空間２０の庫内温度ＴＲと、設定温度ＴＲｏｆｆを比較し、両温度の偏差（＝ＴＲ−ＴＲｏｆｆ）が高くなるにつれて冷蔵ファン３４の回転数を高く設定し、冷蔵空間２０内の負荷に応じて冷蔵ファン３４の回転数を制御しても良い。
【００３６】
そして、冷蔵空間２０の庫内温度ＴＲが設定温度ＴＲｏｆｆ以下に達すると、制御部６１は、冷蔵冷却モードを終了し、冷凍冷却モードを実行する。
【００３７】
冷凍冷却モードでは、冷凍サイクル５０に設けられた圧縮機５１を駆動することで蒸発器５６を低温化しつつ、冷凍ファン３６を回転させ、冷蔵ファン３４を停止させる。また、冷凍冷却モードでは、凝縮器５２からの冷媒が冷媒抵抗の大きい第１キャピラリーチューブ５４ａに流れるように絞り装置５３の切替弁５５を制御部６１が切り替え制御する。
【００３８】
このように圧縮機５１、冷蔵ファン３４、冷凍ファン３６、及び切替弁５５を制御部６１が制御することで、蒸発器５６で冷却された蒸発器室３０内の空気が、冷凍ファン３６によって吸い上げられ冷凍ダクト３７へ導入され、冷凍ダクト３７を介して吹出口４９から冷凍空間４０へ供給される。冷凍冷却モードでは、停止している冷蔵ファン３４が分岐室３３と冷蔵ダクト３５とを遮断し、蒸発器５６で冷却された空気が冷蔵ダクト３５へ進入するのを制限する。
【００３９】
冷凍空間４０に供給された空気（冷気）は、冷凍空間４０を冷却しながら内部を流れた後、冷凍室４３の背面に設けられた吸込口１６からリターンダクト１４を通って蒸発器室３０に取り込まれ、再び蒸発器５６と熱交換し冷却される。
【００４０】
そして、制御部６１は、冷凍空間４０に設けられた冷凍温度センサ４８で検出された冷凍空間４０の庫内温度ＴＦが、所定値の設定温度ＴＦｏｆｆ（例えば、ＴＦｏｆｆ＝−２０℃）以下に到達するように、圧縮機５１や冷凍ファン３６等を制御して冷凍冷却モードを実行する。
【００４１】
その際、制御部６１は、冷凍温度センサ４８で検出された冷凍空間４０の庫内温度ＴＦと、設定温度ＴＦｏｆｆを比較し、両温度の偏差（＝ＴＦ−ＴＦｏｆｆ）が高くなるにつれて冷凍ファン３６の回転数を高く設定し、冷凍空間４０内の負荷に応じて冷凍ファン３６の回転数を制御しても良い。
【００４２】
また、冷凍冷却モードの実行中に冷蔵空間２０の庫内温度ＴＲが所定値の設定温度ＴＲｏｎ（例えば、ＴＲｏｎ＝５℃）以上になると冷蔵空間２０及び冷凍空間４０を同時に冷却する同時冷却モードを実行する。
【００４３】
同時冷却モードでは、冷凍サイクル５０に設けられた圧縮機５１を駆動することで蒸発器５６を低温化しつつ、冷蔵ファン３４及び冷凍ファン３６を回転させることで、蒸発器５６で冷却された蒸発器室３０内の空気を冷蔵ダクト３５及び冷凍ダクト３７へ導入し、冷蔵空間２０及び冷凍空間４０に送風する。この同時冷却モードでは、凝縮器５２からの冷媒が冷媒抵抗の小さい第２キャピラリーチューブ５４ｂに流れるように絞り装置５３の切替弁５５を制御部６１が切り替え制御する。
【００４４】
冷蔵空間２０及び冷凍空間４０に供給された空気（冷気）は、各空間２０，４０を冷却しながら内部を流れた後、野菜室２４及び冷凍室４３の背面に設けられた吸込口１５，１６から蒸発器室３０に取り込まれ、再び蒸発器５６と熱交換し冷却される。
【００４５】
そして、制御部６１は、同時冷却モード実行中に、冷蔵温度センサ２８で検出された冷蔵空間２０の庫内温度ＴＲが、所定値の設定温度ＴＲｏｆｆ以下に到達すると、圧縮機５１の駆動と冷凍ファン３６の回転とを維持しつつ冷蔵ファン３４を停止させて、同時冷却モードを終了して冷凍冷却モードへ移行する。
【００４６】
なお、同時冷却モード実行中に、冷蔵温度センサ２８で検出された冷蔵空間２０の庫内温度ＴＲが、所定値の設定温度ＴＲｏｆｆ以下に到達すると、圧縮機５１の駆動と冷凍ファン３６の回転とを維持しつつ冷蔵ファン３４の回転数を低下させてもよい。
【００４７】
以上のような本実施形態の冷蔵庫１０では、蒸発器５６で冷却された空気を、冷蔵ダクト３５を介して冷蔵空間２０へ送風する冷蔵ファン３４と、冷凍ダクト３７を介して冷凍空間４０へ送風する冷凍ファン３６とが設けられているため、冷蔵ダクト３５や冷凍ダクト３７の経路を単純化することができ、ダクト内での圧力損失を抑えて冷蔵空間２０及び冷凍空間４０を効率的に冷却することができる。
【００４８】
また、冷蔵ファン３４は、停止時に蒸発器室３０から冷蔵空間２０への空気の流れを制限し、冷凍ファン３６は、停止時に蒸発器室３０から冷凍空間４０への空気の流れを制限するため、冷蔵冷却モードの実行中に冷蔵空間２０の空気が冷凍空間４０へ進入して冷凍空間４０の庫内温度ＴＦが上昇したり、冷凍冷却モードの実行中に冷凍空間４０の空気が冷蔵空間２０へ進入して冷蔵空間２０の庫内温度ＴＲが低下しすぎたりすることがなく、冷蔵空間２０及び冷凍空間４０を効率的に冷却することができる。
【００４９】
しかも、冷蔵ダクト３５や冷凍ダクト３７にダンパを設けなくても、不用意に冷蔵空間２０の空気が冷凍空間４０へ進入したり、冷凍空間４０の空気が冷蔵空間２０へ進入したりすることがなく、冷蔵空間２０及び冷凍空間４０を効率的に冷却することができる。
【００５０】
また、本実施形態の冷蔵庫１０では、冷蔵ファン３４及び冷凍ファン３６を制御することで、冷蔵空間２０を冷却する冷蔵冷却モードと、冷凍空間４０を冷却する冷凍冷却モードと、冷蔵空間２０及び冷凍空間４０を同時に冷却する同時冷却モードとを簡単に切り替えて実行することができる。
【００５１】
更に、本実施形態の冷蔵庫１０では、冷凍冷却モードの実行中に冷蔵空間２０の庫内温度ＴＲが設定温度ＴＲｏｎ以上になると同時冷却モードし、設定温度ＴＲｏｆｆ以下に到達すると同時冷却モードを終了して冷凍冷却モードへ移行したり、あるいは、冷蔵ファン３４の回転数を低下させるため、冷凍冷却モードの実行中に冷蔵空間２０の温度が上昇しすぎたり、あるいは低下しすぎることがなくなる。
【００５２】
また、本実施形態の冷蔵庫１０では、冷蔵ダクト３５に設けられた冷蔵ファン３４が、下方に見たときに蒸発器５６の投影面に重なるように分岐室３３を挟んで蒸発器５６の上方に配置されているため、蒸発器５６で冷却された蒸発器室３０内の空気を冷蔵ファン３４によって効率的に吸い上げて冷蔵空間２０へ供給することができる。
【００５３】
特に、蒸発器５６を冷凍空間４０の背面に配置すると冷蔵ダクト３５が長くなり蒸発器５６で冷却された空気を冷蔵空間２０へ供給しにくくなるが、本実施形態では、蒸発器５６に対向する冷蔵ファン３４によって、蒸発器５６で冷却された空気を吸い上げて冷蔵空間２０へ供給することができるため、冷蔵空間２０を効率的に冷却することができる。
【００５４】
しかも、冷凍ファン３６が分岐室３３の前面に沿わせて配置されており、冷凍ファン３６の後方に蒸発器５６で冷却された空気を吸い上げる空間（分岐室）３３が確保されているため、冷蔵空間２０を効率的に冷却することができる。
【００５５】
更にまた、本実施形態の冷蔵庫１０では、冷凍ダクト３７との接続部３７ａの上端から後方に延びるガイド板３９が分岐室３３に設けられているため、冷凍ファン３６の回転によって上方へ吹き上げられた収納室３２の空気を冷凍ダクト３７へ案内することができ、冷凍空間４０を効率的に冷却することができる。
【００５６】
（第２実施形態）
第１実施形態では、冷蔵冷却モードの実行中に、停止する冷凍ファン３６が、分岐室３３と冷凍ダクト３７とを遮断し、冷凍ダクト３７を介して冷凍空間４０に分岐室３３内の空気を供給するのを制限する場合について説明したが、第２実施形態では、冷蔵冷却モードの実行中に停止する冷凍ファン３６によって分岐室３３と冷凍ダクト３７とを遮断すること加え、図７に示すように、冷凍ダクト３７にダンパ６２を設け、このダンパ６２を冷蔵冷却モードの実行中に閉止する。
【００５７】
このような第２実施形態では、冷蔵冷却モードの実行中に、蒸発器室３０を介して冷蔵空間２０の空気が冷凍空間４０へ、より一層、流入しにくくなり、冷蔵空間２０及び冷凍空間４０を効率的に冷却することができる。
【００５８】
なお、本実施形態では、冷凍ダクト３７にダンパ６２を設ける場合について説明したが、ダンパ６２に換えて、あるいは、ダンパ６２とともに冷凍室４３の背面に設けられた吸込口１６と蒸発器室３０とを連結するリターンダクト１４にダンパ６３を設けてもよい。
【００５９】
なお、その他の構成及び作用効果は第１実施形態と同様であり、説明は省略する。
【００６０】
（第３実施形態）
第３実施形態は、冷蔵ダクト３５内に第２蒸発器５７が配設されている点で上記した実施形態と相違する。
【００６１】
すなわち、図８に示すように、第２蒸発器５７は、冷蔵室２２の背面に設けられた冷蔵ダクト３５の上端部に冷蔵庫本体１１の背面に沿わせて配設され、冷蔵ダクト３５を流れる空気を冷却する。
【００６２】
本実施形態の冷凍サイクル５０は、図９に示すように、回転数を変えることができる能力可変型の圧縮機５１と、該圧縮機５１から吐出される高温高圧の冷媒ガスを受けてこれを放熱液化する凝縮器５２と、凝縮器５２の出口側に接続され凝縮器５２からの冷媒を減圧する絞り装置５３と、絞り装置５３からの冷媒が供給される蒸発器５６及び第２蒸発器５７とを配管接続して構成される。
【００６３】
絞り装置５３は、上記した第１実施形態と同様に、第１キャピラリーチューブ５４ａに比べて第２キャピラリーチューブ５４ｂの冷媒抵抗が小さく設定されており、切替弁５５が複数のキャピラリーチューブの一方へ凝縮器５２からの冷媒を切り替えて流すことで、冷媒の流路抵抗を変更することができる。第２キャピラリーチューブ５４ｂの出口側には第２蒸発器５７が接続され、第２蒸発器５７の出口側が第１キャピラリーチューブ５４ａと蒸発器５７とを連結する配管に接続されている。
【００６４】
そして、制御部６１は、冷蔵温度センサ２８及び冷凍温度センサ４８によって検出された庫内温度ＴＲ、ＴＦに基づいて、冷蔵冷却モードと冷凍冷却モードとを切り替えて交互に実行する。
【００６５】
詳細には、冷蔵冷却モードでは、凝縮器５２からの冷媒が冷媒抵抗の小さい第２キャピラリーチューブ５４ｂに流れるように絞り装置５３の切替弁５５を切り替え、冷凍サイクル５０に設けられた圧縮機５１を駆動することで蒸発器５６と第２蒸発器５７とを低温化しつつ、冷蔵ファン３４を回転させ、冷凍ファン３６を停止させる。
【００６６】
冷蔵冷却モードにおいて、上記のように圧縮機５１、冷蔵ファン３４、冷凍ファン３６、及び切替弁５５を制御部６１が制御することで、蒸発器５６で冷却された蒸発器室３０内の空気が、冷蔵ファン３４によって吸い上げられ冷蔵ダクト３５へ導入され、冷蔵ダクト３５を上方へ流れながら吹出口２９から冷蔵空間２０へ供給される。冷蔵ダクト３５の上端部に至った空気は、第２蒸発器５７によって再度冷却された後、冷蔵空間２０へ供給される。また、冷蔵冷却モードでは、停止している冷凍ファン３６が分岐室３３と冷凍ダクト３７とを遮断し、蒸発器５６で冷却された空気が冷凍ダクト３７へ進入するのを制限する。
【００６７】
冷凍冷却モードでは、凝縮器５２からの冷媒が冷媒抵抗の大きい第１キャピラリーチューブ５４ａに流れるように絞り装置５３の切替弁５５を切り替え、冷凍サイクル５０に設けられた圧縮機５１を駆動することで蒸発器５６を低温化しつつ、冷凍ファン３６を回転させ、冷蔵ファン３４を停止させる。
【００６８】
冷凍冷却モードにおいて、上記のように圧縮機５１、冷蔵ファン３４、冷凍ファン３６、及び切替弁５５を制御部６１が制御することで、蒸発器５６で冷却された蒸発器室３０内の空気が、冷凍ファン３６によって吸い上げられ冷凍ダクト３７へ導入され、冷凍ダクト３７を介して冷凍空間４０へ供給される。また冷凍冷却モードでは、停止している冷蔵ファン３４が分岐室３３と冷蔵ダクト３５とを遮断し、蒸発器５６で冷却された空気が冷蔵ダクト３５へ進入するのを制限する。
【００６９】
また、同時冷却モードでは、凝縮器５２からの冷媒が冷媒抵抗の小さい第２キャピラリーチューブ５４ｂに流れるように絞り装置５３の切替弁５５を切り替え、冷凍サイクル５０に設けられた圧縮機５１を駆動することで蒸発器５６及び第２蒸発器５７を低温化しつつ、冷蔵ファン３４及び冷凍ファン３６を回転させることで、蒸発器５６で冷却された蒸発器室３０内の空気を冷蔵ダクト３５及び冷凍ダクト３７へ導入し、冷蔵空間２０及び冷凍空間４０に送風する。
【００７０】
このような本実施形態では、冷蔵冷却モードや同時冷却モードにおいて、蒸発器５６で冷却された後、冷蔵ダクト３５の上端部に至った空気は、冷蔵ダクト３５を流れる際に熱（冷熱）を損失するが、第２蒸発器５７によって再度冷却されてから冷蔵空間２０へ供給されるため、冷蔵空間２０を均一かつ効率的に冷却することができる。その他の構成及び作用効果は第１実施形態と同様であり、説明は省略する。なお、第２実施形態を第３実施形態に組み合わせてもよく、これにより更なる冷却運転の効率化を図ることができる。
【００７１】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００７２】
１０…冷蔵庫      １１…冷蔵庫本体      ２０…冷蔵空間
２２…冷蔵室      ２４…野菜室      ２７…ダクト板
２９…吹出口      ３０…蒸発器室      ３１…エバカバー
３２…収納室      ３３…分岐室      ３４…冷蔵ファン
３５…冷蔵ダクト      ３５ａ…接続部      ３６…冷凍ファン
３７…冷凍ダクト      ３７ａ…接続部      ３８…ダクト板
３９…ガイド板      ４０…冷凍空間      ４１…製氷室
４２…小型冷凍室      ４３…冷凍室      ４８…冷凍温度センサ
４９…吹出口      ５０…冷凍サイクル      ５１…圧縮機
５２…凝縮器      ５３…絞り装置      ５６…蒸発器
６１…制御部
【図１】
2014202446.tif 000003
【図２】
2014202446.tif 000004
【図３】
2014202446.tif 000005
【図４】
2014202446.tif 000006
【図５】
2014202446.tif 000007
【図６】
2014202446.tif 000008
【図７】
2014202446.tif 000009
【図８】
2014202446.tif 000010
【図９】
2014202446.tif 000011